(57)【要約】【課題】  各筐体間の電気的接続を、装置の小型化に支障を生じることがなく、高い信頼性をもってデータの取り扱いをなし得るようにし、伸長状態においても電気的接続部分を見せないようにする。【解決手段】  第一筐体と第二筐体とを互いにスライド可能に連結し、相対的にスライドさせることにより伸長状態もしくは収縮状態となる構造とする。第一筐体に、導体パターン３１を有するプリント基板を設ける。第二筐体に、導体パターン３１と摺動可能に導通接触する端子３６を設ける。導体パターン３１の表面に、弾性を有する保護膜３３を設ける。保護膜３３に、第一筐体と第二筐体とのスライド方向に沿うスリット３４を形成する。スリット３４を押し広げて端子３６を挿入して導体パターン３１に摺動接触させる。導体パターン３１との摺動方向に対して斜め後方に傾けられた傾斜部３６ａ、３６ｂを端子３６に形成する。【選択図】      図５
2005136496.tif 000002
【特許請求の範囲】
【請求項１】
互いにスライド可能に連結された第一筐体及び第二筐体を有し、これら第一筐体及び第二筐体を相対的にスライドさせることにより伸縮可能な携帯端末であって、
前記第一筐体は、前記第二筐体側に導体パターンを有し、前記第二筐体は、前記導体パターンと摺動可能に導通接触する端子を有し、
前記導体パターンは、その表面に、弾性を有する保護膜が設けられ、該保護膜には、前記第一筐体と第二筐体とのスライド方向に沿うスリットが形成され、
前記第二筐体の端子は、前記保護膜のスリットを押し広げて前記導体パターンに摺動接触されていることを特徴とする携帯端末。
【請求項２】
前記端子は、前記導体パターンとの摺動方向に対して斜め後方に傾けられた傾斜部を有することを特徴とする請求項１に記載の携帯端末。
【請求項３】
前記端子は、その一部が前記保護膜の前記導体パターン側に潜り込むことを特徴とする請求項１または請求項２に記載の携帯端末。
【請求項４】
前記端子は、前記導体パターンに対する摺動方向に直交する軸を中心とした円形に形成されていることを特徴とする請求項１から３のいずれか１項記載の携帯端末。
【請求項５】
前記第一筐体に設けられた導体パターンが、フレキシブル配線板に形成されていることを特徴とする請求項１から４のいずれか１項に記載の携帯端末。
【請求項６】
少なくとも送話部及び受話部を有する携帯電話機であることを特徴とする請求項１から５のいずれか１項に記載の携帯端末。
【発明の詳細な説明】
【技術分野】
【０００１】
本発明は、互いに相対移動できるように連結された二つの筐体を有し、これら筐体を電気的に接続するようにした携帯端末に関するものである。
【背景技術】
【０００２】
近年、携帯端末として各種のものが提供されているが、多種機能確保等の要請と装置の小型化の要請を両立させるべく、装置を互いに連結された二つの筐体で構成し、電話としての使用時やキー操作等を重視した使用時には各筐体を変位させて伸長させ、閲覧を重視した使用時や不使用時には各筐体を全体がコンパクトになるように変位させて収縮させるようにしたものが提案されている。
この種の携帯端末においては、例えば一方の筐体に各種の操作キーを有する操作部を設け、他方の筐体に液晶表示部を設ける等の構成を採用しており、各筐体間を電気的に接続する必要がある。
【０００３】
従来このような場合の電気的接続手段としては、スライド可動式のカバーの内面に導体を本体側に電気的に接続される接点で摺動接続可能とする構造のものが知られている。
また、伸長側筐体に相互接続された複数の接点と本体側の接点を伸長時と収縮時に異なる接点で接続することが可能な構造も知られている。
【特許文献１】特開２００３−３１９６８号公報
【発明の開示】
【発明が解決しようとする課題】
【０００４】
しかしながら、上記の摺動接続による電気的接続を行う手段においては、伸長時に電気的導体や電気的接点が露出し見栄えが悪いばかりでなく、ゴミ、埃、破損、断線等の事故により信頼性を著しく悪化させてしまう。
例えば、この対策として電気的導体をスリット付きの覆いで隠す構造が考えられるが、見栄えは良くなるが摺動時に電気的接点の端子に対して、スリット部分に乗り上がるような力が働いて、安定した摺動接触力が得られなくなる問題が生じる。
【０００５】
この発明は、このような事情を考慮してなされたもので、その目的は、一対の筐体が互いに相対移動自在に連結された携帯端末において、各筐体間の電気的接続を、装置の小型化に支障を生じることなく、高い信頼性をもってデータの取り扱いをなし得るようにし、伸長状態においても電気的接続部分を見せないようにするとともに安定した摺動接続を可能にする携帯端末を提供することにある。
【課題を解決するための手段】
【０００６】
上記目的を達成するために、本発明は、互いにスライド可能に連結された第一筐体及び第二筐体を有し、これら第一筐体及び第二筐体を相対的にスライドさせることにより伸縮可能な携帯端末であって、前記第一筐体は、前記第二筐体側に導体パターンを有し、前記第二筐体は、前記導体パターンと摺動可能に導通接触する端子を有し、前記導体パターンは、その表面に、弾性を有する保護膜が設けられ、該保護膜には、前記第一筐体と第二筐体とのスライド方向に沿うスリットが形成され、前記第二筐体の端子は、前記保護膜のスリットを押し広げて前記導体パターンに摺動接触されていることを特徴としている。
【０００７】
また、前記端子が、前記導体パターンとの摺動方向に対して斜め後方に傾けられた傾斜部を有することを特徴としている。
また、前記端子の一部が前記保護膜の前記導体パターン側に潜り込むことを特徴としている。
【０００８】
また、前記端子が、前記導体パターンに対する摺動方向に直交する軸を中心とした円形に形成されていることを特徴としている。
また、前記第一筐体に設けられた導体パターンが、フレキシブル配線板に形成されていることを特徴としている。
また、少なくとも送話部及び受話部を有する携帯電話機であることを特徴としている。
【発明の効果】
【０００９】
本発明によれば、各筐体間の電気的接続を、装置の小型化に支障を生じることがなく、高い信頼性をもってデータの取り扱いをなし得るようにし、伸長状態においても電気的接続部分を見せないようにすることができる。
【発明を実施するための最良の形態】
【００１０】
以下、本発明を実施するための最良の形態に係る携帯端末について図面を参照して説明する。
図１は、実施形態に係る携帯端末を示す伸長状態における正面図及び断面図、図２は、携帯端末を示す収縮状態における正面図及び断面図、図３は、携帯端末を示す背面側の斜視図である。
図に示すように、この携帯端末１１は、第一筐体１２及び第二筐体１３を有している。これら第一筐体１２及び第二筐体１３は、相対的に互いに長手方向に沿ってスライドされて伸長させた伸長状態（図１に示す状態）及び収縮させた収縮状態（図２に示す状態）の二つの形態となる。
【００１１】
第一筐体１２には、受話器１４、表示部１５、サブキー操作部１６といった主要部品が配置されている。
もう一方の第二筐体１３には、キー操作部１７、送話器１８といった主要部品が配置され、内部には、電池１９が配設されている。
キー操作部１７は、各種操作指示を行うためのものである。このキー操作部１７には、少なくとも電話番号や文章入力に必要なテンキー、着信ボタン、ファンクションキーである機能選択キーなどの各種ボタン及び操作キーが設けられている。
【００１２】
サブキー操作部１６は、主に収縮状態で必要とされる各種操作キーが配置されている。例えば、収縮状態でも電話の着信を受けたい場合は、着信ボタンを配置又は必要に応じてユーザ側でキーの機能を割り付けることも出来る。
表示部１５は、液晶画面（ＬＣＤ：Liquid Crystal Display）からなり、電話番号の表示やメニュー画面などの表示を行う。
この表示部１５は、第一筐体１２及び第二筐体１３が互いにスライドすることにより形状が変わることから考えると、収縮状態では手書き入力することを前提にＰＤＡ（Personal Digital Assistants）的な使い方が重視され、伸長状態では通常の携帯電話的な使い方が実用的である。
【００１３】
図４は、携帯端末の機能を説明するブロック図である。
図に示すように、この携帯端末１１は、ＣＰＵ２１を有し、このＣＰＵ２１には、操作部２２、入力部２３、ＲＯＭ２４、ＲＡＭ２５及び通信部２６が接続されている。そして、ＣＰＵ２１によって、これら操作部２２、入力部２３、ＲＯＭ２４、ＲＡＭ２５及び通信部２６による携帯通信処理が行われる。
【００１４】
第一筐体１２には、第一筐体１２及び第二筐体１３のスライド方向に沿う複数の導体パターン３１が形成されたプリント基板３２を有している。
また、プリント基板３２の導体パターン３１の表面には、弾性を有する保護膜３３が設けられている。この保護膜３３は、第一筐体１２に、例えば、２色成型法などにより一体成型されており、導体パターン３１の上部位置を切断することにより、スリット３４が形成されている。
【００１５】
また、第二筐体１３には、その内部にキー操作部用基板３５を有しており、このキー操作部用基板３５には、その一端側における第一筐体１２側に、複数の端子３６が設けられている。これら端子３６は、第一筐体１２側へ突出されており、保護膜３３のスリット３４を押し広げて挿入され、導体パターン３１に当接されている。
そして、これら端子３６は、第一筐体１２と第二筐体１３とを相対的にスライドさせた際に、導体パターン３１に摺動可能に導通接触するようになっている。
【００１６】
図５に示すように、この端子３６は、その先端が接触部３７とされ、この接触部３７が導体パターン３１に摺動可能に導通接触する。
また、この端子３６には、その一部が保護膜３３の導体パターン３１側に潜り込んだ位置に配設されており、この部分には、傾斜部３６ａ、３６ｂが形成されている。傾斜部３６ａは、端子３６が図中矢印イ方向へ摺動する方向に対して斜め後方（導体パターン３１側の底辺と斜辺とのなす角が鋭角）に傾けられ、傾斜部３６ｂは、端子３６が図中矢印ロ方向へ摺動する方向に対して斜め後方（導体パターン３１側の底辺と斜辺とのなす角が鋭角）に傾けられている。
【００１７】
そして、上記構造の携帯端末１１によれば、第二筐体１３の端子３６が、第一筐体１２の導体パターン３１の表面の保護膜３３に形成されたスリット３４を押し広げながら導体パターン３１と摺動接触する構造であるので、ゴミ、塵、埃等の侵入を防ぐと共に、ユーザが導体パターン３１からなる電気的接続面に触れることによる不具合も防止でき、更に、内部部品の露出を防ぐことができ、良好な外観を得ることができる。
【００１８】
また、例えば、２色成型法などにより、保護膜３３と第一筐体１２とが結合した一体構造とすることにより、作業工数の低減を図ることができ、さらなる良好な外観を得ることができる。
しかも、第一筐体１２及び第二筐体１３をスライドさせると、端子３６の傾斜部３６ａ、３６ｂが保護膜３３を持ち上げることにより、端子３６が弾性を有する保護膜３３から反力を受け、これにより、端子３６が導体パターン３１へ押し付けられ、導体パターン３１との接触圧が高められ、安定した接触摺動動作が可能となり、高い信頼性を確保することができる。
また、端子３６の一部が保護膜３３の導体パターン３１側へ潜り込む構造であるので、保護膜３３からの反力を確実に受けて導体パターン３１との接触圧を確実に高めることができる。
【００１９】
図６に示すものは、金属製の線材を折り曲げ加工することにより形成された端子４１である。
この端子４１は、側面視三角形状に形成され、その底辺側の一部が保護膜３３の導体パターン３１側に潜り込んだ位置に配設されて導体パターン３１に摺動可能に導通接触する。
また、この端子４１は、他の二辺がそれぞれ傾斜部４１ａ、４１ｂとされており、傾斜部４１ａは、端子４１が図中矢印イ方向へ摺動する方向に対して斜め後方（導体パターン３１側の底辺と斜辺とのなす角が鋭角）に傾けられ、傾斜部４１ｂは、端子４１が図中矢印ロ方向へ摺動する方向に対して斜め後方（導体パターン３１側の底辺と斜辺とのなす角が鋭角）に傾けられている。
【００２０】
図７に示すものは、金属製の板材を折り曲げ加工することにより形成された端子４２である。
この端子４２は、側面視三角形状に形成され、その底辺側の一部が保護膜３３の導体パターン３１側に潜り込んだ位置に配設されて導体パターン３１に摺動可能に導通接触する。
また、この端子４２は、他の二辺がそれぞれ傾斜部４２ａ、４２ｂとされており、傾斜部４２ａは、端子４２が図中矢印イ方向へ摺動する方向に対して斜め後方（導体パターン３１側の底辺と斜辺とのなす角が鋭角）に傾けられ、傾斜部４２ｂは、端子４２が図中矢印ロ方向へ摺動する方向に対して斜め後方（導体パターン３１側の底辺と斜辺とのなす角が鋭角）に傾けられている。
【００２１】
そして、これら図６、図７に示した端子４１、４２の場合も、前述の端子３６と同様に、第一筐体１２及び第二筐体１３をスライドさせる際に、端子４１、４２の傾斜部４１ａ、４１ｂ、４２ａ、４２ｂが保護膜３３を持ち上げることにより、端子４１、４２が弾性を有する保護膜３３から反力を受ける。
【００２２】
ここで、図８、図９に示すものは、金属製の線材あるいは板材をＶ字状に屈曲させ、摺動する方向に対して斜め前方に傾斜させた端子５１、５２であり、このような端子５１、５２の場合は、第一筐体１２及び第二筐体１３をスライドさせる際に、保護膜３３が線材あるいは板材の斜面に押されて、導体パターン側に潜り込み、弾性を有する保護膜３３により、導体３１から離間する方向への力が端子５１、５２に加わり、導体パターン３１から離れてしまう。
【００２３】
つまり、上記傾斜部４１ａ、４１ｂ、４２ａ、４２ｂを備えた端子４１、４２によれば、保護膜３３から受けた反力によって、導体パターン３１へ確実に押し付けられるので、導体パターン３１との接触圧が高められ、安定した接触摺動動作が可能となり、高い信頼性を確保することができる。
【００２４】
また、図１０に示すものは、金属製の線材を折り曲げ加工することにより、導体パターン３１に対する摺動方向に直交する軸を中心として円形に形成した端子６１である。
そして、この端子６１は、その下側半分以上が保護膜３３の導体パターン３１側に潜り込んだ位置に配設されて導体パターン３１に摺動可能に導通接触する。
また、この端子４１は、その上半分における上端を境とした両側の外周部分ががそれぞれ傾斜部６１ａ、６１ｂとされており、傾斜部６１ａは、端子６１が図中矢印イ方向へ摺動する方向に対して斜め後方（導体パターン３１側の底辺と斜辺とのなす角が鋭角）に傾けられ、傾斜部６１ｂは、端子６１が図中矢印ロ方向へ摺動する方向に対して斜め後方（導体パターン３１側の底辺と斜辺とのなす角が鋭角）に傾けられている。
【００２５】
そして、この図１０に示した端子６１の場合も、第一筐体１２及び第二筐体１３をスライドさせる際に、端子６１の傾斜部６１ａ、６１ｂが保護膜３３を持ち上げることにより、端子６１が弾性を有する保護膜３３から反力を受けて導体パターン３１へ確実に押し付けられ、導体パターン３１との接触圧が高められ、安定した接触摺動動作が可能となり、高い信頼性を確保することができる。
また、端子６１が円形であるので、例えば、バネ性を有する線材を折り曲げ加工することで容易に作製でき、部品の低コスト化を図ることができる。
しかも、導体パターン３１に点接触するので、接触抵抗が少なく、円滑な摺動接触が可能である。
【００２６】
なお、上記の例では、導体パターン３１を設けたプリント基板３２を第一筐体１２に配設したが、このプリント基板３２に代えて、可撓性を有するフレキシブル配線板を用い、このフレキシブル配線板に導体パターン３１を設けても良く、このようにすると、フレキシブル配線板を固定する相手形状に沿わせることができ、平面の移動にこだわることなく、円弧状等の移動が可能になる。また、ごみ、塵、埃等の侵入を防ぐと共に、ユーザが電気的摺動面（導体パターン）に触れることによる不具合も防止でき、更に、内部部品の露出のない外観に優れたスライド式の携帯電話機とすることができる。
尚、本発明の携帯端末は、携帯電話機や携帯情報端末（ＰＤＡ）などを含むものである。
【図面の簡単な説明】
【００２７】
【図１】本発明の実施形態に係る携帯端末を示す伸長状態における正面図及び断面図である。
【図２】実施形態に係る携帯端末を示す収縮状態における正面図及び断面図である。
【図３】実施形態に係る携帯端末を示す背面側の斜視図である。
【図４】実施形態に係る携帯端末の機能を説明する機能ブロック図である。
【図５】実施形態に係る携帯端末に設けられた端子を説明する端子の斜視図である。
【図６】実施形態に係る携帯端末に設けられた他の形状の端子を説明する端子の斜視図である。
【図７】実施形態に係る携帯端末に設けられた他の形状の端子を説明する端子の斜視図である。
【図８】不具合が生じる端子を説明する端子の斜視図である。
【図９】不具合が生じる端子を説明する端子の斜視図である。
【図１０】実施形態に係る携帯端末に設けられた他の形状の端子を説明する端子の斜視図である。
【符号の説明】
【００２８】
１１  携帯端末          １２  第一筐体          １３  第二筐体
１４  受話部            １８  送話部            ３１  導体パターン
３３  保護膜            ３４  スリット  ３６、４１、４２、６１  端子
３６ａ、３６ｂ、４１ａ、４１ｂ、４２ａ、４２ｂ、６１ａ、６１ｂ  傾斜部
【図１】
2005136496.tif 000003
【図２】
2005136496.tif 000004
【図３】
2005136496.tif 000005
【図４】
2005136496.tif 000006
【図５】
2005136496.tif 000007
【図６】
2005136496.tif 000008
【図７】
2005136496.tif 000009
【図８】
2005136496.tif 000010
【図９】
2005136496.tif 000011
【図１０】
2005136496.tif 000012